(57)【特許請求の範囲】
【請求項１】
ロープ２にて吊下げられたかご１を昇降路３の左右のガイドレール11に案内させて昇降させるエレベータの該かご１に、上記ガイドレール11を固縛開放自在に固縛する左右一対の固縛装置12を付設すると共に、該かご１に設けた電磁力で作動する単数個の電磁駆動装置13と、２本の可撓性のあるプッシュプルワイヤ14と、を有し、
上記固縛装置12は、先端側に上記ガイドレール11に対して接触分離する摩擦材22が付設された一対のアーム21，21を有し、該アーム21，21の基端と、電磁駆動装置13とを、上記プッシュプルワイヤ14にて連動連結して、電磁駆動装置13による駆動力を伝達し、
さらに、上記アーム21，21の基端側はＸ字状に交叉し、アーム21の中途部が固定部材19に揺動自在に支軸20にて枢支され、上記アーム21，21の基端に、アーム21，21の基端を相互に開脚する方向に弾発付勢するバネ23を付設し、
上記かご１が停止階に停止する際の上記電磁駆動装置13の通電時には、上記摩擦材22が上記ガイドレール11を押圧し、かご１の昇降時の電磁駆動装置13の非通電時には、摩擦材22が上記バネ23の弾発付勢力にてガイドレール11から分離するように構成されたことを特徴とするエレベータの揺れ止め装置。
【発明の詳細な説明】
【０００１】
【発明の属する技術分野】
本発明は、エレベータの揺れ止め装置に関する。
【０００２】
【従来の技術】
一般のエレベータにあっては、かごをロープで吊り下げて、駆動モータ・シーブ・ブレーキ等から成る駆動ユニットにて該ロープを移行させ、かごを上昇下降させていた。
従来、上記駆動ユニットにブレーキが装着されているので、かごを停止させる時には、ロープを介して制動力を伝達していた。
また、非常時にはかごに取付けた非常用ブレーキによって急停止させていた。
【０００３】
【発明が解決しようとする課題】
ところで、建築物が高層化するにつれてかごを吊り下げるロープが長大化する。その結果、かごへの乗降時の荷重変動によるロープの伸縮の影響が増加し、かごが上下に揺れ、乗客に不快感を与えることになる。
なお、非常ブレーキは異常事態時に作動させる構造であるため、一旦作動させると復旧が容易でないという問題があり、常用に適さない。
【０００４】
本発明の目的は、このような問題点を解決して、エレベータのロープが長大化しても上下の揺れが発生せず、気持良くエレベータを利用可能とすることを目的とする。さらに、かごが停止する毎に、上下の揺れ止めを行うという頻繁作動もスムーズに行い得る揺れ止め装置を提供することを他の目的とする。
【０００５】
【課題を解決するための手段】
本発明に係るエレベータの揺れ止め装置は、ロープにて吊下げられたかごを昇降路の左右のガイドレールに案内させて昇降させるエレベータの該かごに、上記ガイドレールを固縛開放自在に固縛する左右一対の固縛装置を付設すると共に、該かごに設けた電磁力で作動する単数個の電磁駆動装置と、２本の可撓性のあるプッシュプルワイヤと、を有している。
【０００６】
かつ、上記固縛装置は、先端側に上記ガイドレールに対して接触分離する摩擦材が付設された一対のアームを有し、該アームの基端と、電磁駆動装置とを、上記プッシュプルワイヤにて連動連結して、電磁駆動装置による駆動力を伝達する。
【０００７】
さらに、上記アームの基端側はＸ字状に交叉し、アームの中途部が固定部材に揺動自在に支軸にて枢支され、上記アームの基端に、アームの基端を相互に開脚する方向に弾発付勢するバネを付設した。
【０００８】
さらに、上記かごが停止階に停止する際の上記電磁駆動装置の通電時には、上記摩擦材が上記ガイドレールを押圧し、かごの昇降時の電磁駆動装置の非通電時には、摩擦材が上記バネの弾発付勢力にてガイドレールから分離するように構成されたものである。
【０００９】
【発明の実施の形態】
以下、図示の実施の形態に基づき本発明を詳説する。
【００１０】
図１に於て、エレベータ全体の概略の構成の一例を示し、１は（ワイヤ）ロープ２等にて吊下げられたかごを示し、エレベータ昇降路３の上方側のプーリ４，５、かご１側のプーリ６，７、下方側のトラクションプーリ８、及び、カウンターウエイト９を有するプーリ10等から成る昇降手段Ａによって、かご１は昇降作動し、建物の各階に停止できる。
【００１１】
トラクションプーリ８は、駆動ユニットＵにて駆動され、この駆動ユニットＵは、駆動モータとブレーキを備える。なお、定滑車と動滑車としてのプーリ４，５，６，７，10とプーリ８の配置は、図１以外に種々変形自在なことは勿論であり、駆動ユニットＵとプーリ８の位置も、昇降路３の中間や上部等とするも自由である。
【００１２】
ところで、図２の簡略平面説明図に於て、11, 11は左右一対のガイドレールであり、（図１では省略したが）昇降路３の左右内壁面３ａ，３ａに沿って、上下方向に固設されている。このガイドレール11は、かご１の上下案内用であり、（図示省略の）被案内溝部をかご１の左右外壁面に付設して、ガイドール11と嵌合わせて、上下に案内ガイドさせるためであり、かつ、（図示省略の）非常停止用ブレーキの摩擦材がこのガイドレール11を挾圧掴持して、緊急時（非常時）にかご１を保持（停止）するための部材である。
【００１３】
本発明に係る揺れ止め装置Ｓは、このガイドール11, 11を流用して、このガイドレール11に固縛開放自在に固縛する左右一対の固縛装置12, 12を備える。つまり、かご１側に一対の固縛装置12, 12を付設する。
【００１４】
次に、13はかご１側に単数個設けられた電磁駆動装置であり、電磁力で作動するこの電磁駆動装置13と、一対の固縛装置12, 12とは、プッシュプルワイヤ14，14にて、連動連結されている。
【００１５】
例えば、この電磁駆動装置13としては、通電時にロッド16が突出方向Ｂへ作動する電磁スラスター15と、このスラスター15のロッド16に固設の横部材17と、スラスター15の固定ケーシングに固設された固定取付部材18等から、成る。
他方、固縛装置12は、中途部を固定部材19に揺動自在に支軸20にて枢支した一対のアーム21, 21と、このアーム21の先端側（内側）に付設の摩擦材22等を、備えている。
固定部材19はかご１の一部に固着される。摩擦材（ブレーキシュー）22, 22は、ガイドレール11の両側面に接触分離自在に対向する。
【００１６】
一対のアーム21，21の基端側はＸ字状に交叉し、プッシュプルワイヤ14を介して、電磁駆動装置13の駆動力を、アーム21, 21の基端に伝達するように構成されている。即ち、一対のアーム21, 21の基端側を、プッシュプルワイヤ14に連繋して、電磁駆動装置13による（矢印Ｂで示した）突出方向の力を、伝達し、摩擦材22, 22をガイドレールに対して押圧（接触）させるように構成されている。
【００１７】
さらに詳しく説明すると、Ｘ字状に交叉したアーム21, 21の基端を、相互に開脚する方向に弾発付勢するバネ23を付設し、かつ、一方のアーム21の基端には、プッシュプルワイヤ14の可動ワイヤ14ａを連繋（係止）し、また、他方のアーム21の基端には、プッシュプルワイヤ14の外管部14ｂを取付ける。そして、プッシュプルワイヤ14の他端側に於て、可動ワイヤ14ａを電磁駆動装置13の横部材17に連繋（係止）すると共に、外管部14ｂを取付部材18に取付ける。
【００１８】
このように構成すれば、かご１が停止階に停止する際に通電して、電磁駆動装置13が通電された時は、矢印Ｂで示した突出方向へロッド16及び横部材17が直線運動し、プッシュプルワイヤ14の内部の可動ワイヤ14ａが引張られ、Ｘ字状に交叉したアーム21, 21の基端側が閉じる方向に作動し、アーム21, 21の先端及び摩擦材22, 22は強くガイドレール11の両側面を押圧し、制動力を発揮して、エレベータのかご１の上下動を抑制する。
【００１９】
逆に、電磁駆動装置13の非通電時には、逆に各部材が作動して、（特にバネ23の弾発付勢力の作用も加わって、）確実に摩擦材22, 22がガイドレール11から、分離する。これによって、かご１の上昇・下降の走行の抵抗とはならない。
【００２０】
このように、摩擦材22, 22とガイドレール11とがノルマリーオープンとすることにより、かご１の昇降時に摺接して、摩擦抵抗及び摩擦熱による問題の発生を予防できる利点がある。
【００２１】
本発明の上述の実施の形態によれば、可撓性のあるプッシュプルワイヤ（ケーブル）14を用いたので、狭小な空間にも、容易に本発明に係る揺れ止め装置を、付設できる。かつ、単数個の電磁駆動装置13の駆動力を、一対の固縛装置12, 12に、伝達できて、構造が簡素化できる。
また、既設のガイドレール11を兼用できるので一層の構造の簡素化を図り得て、付設費用も少なくて済む。
【００２２】
【発明の効果】
（請求項１によれば、）高層化した建築物用のエレベータであっても、かごの上下の揺れを、簡単に抑制できる。しかも、頻繁なＯＮ−ＯＦＦ作動も自由にできて、実用上の効果は著大である。
【００２３】
さらに、可撓性のあるプッシュプルワイヤ14を用いたので、構造の簡素化を図ることができ、かつ、既設エレベータにも簡単に付加可能であり、又は、狭小な空間にも、付設できる。
【００２４】
また、コンパクト化を図り得ると共に、耐久性・安全性の高い構造が容易に得られる。  また、既設のガイドレール11を兼用できるので一層の構造の簡素化を図り得て、付設費用も少なくて済む。
【図面の簡単な説明】
【図１】本発明の実施の一形態を示す全体簡略説明図である。
【図２】要部の構成を示す平面図である。
【符号の説明】
１  かご
２  ロープ（ワイヤロープ）
３  昇降路
11  ガイドレール
12  固縛装置
13  電磁駆動装置
14  プッシュプルワイヤ
19 固定部材
20 支軸
21  アーム
22  摩擦材
23 バネ
【図１】
0003595525.tif 000002
【図２】
0003595525.tif 000003